(57)【特許請求の範囲】
【請求項１】
生来の歯を引き抜いた後に歯槽内に固定する歯科インプラントであって、前記歯科インプラントは、冠状端部、先端端部、及び前記冠状端部と前記先端端部を通して延びる中央軸を持ち、前記歯科インプラントは、更に：
(a)前記歯科インプラントの前記冠状端部にある義歯レセプタクルと；
(b)冠状部分と、先端部分と、先端端部に第１コアロッキング突出部を有する第１脚と、を有するコアと；
(c)冠状端部と、先端端部と、前記第１コアロッキング突出部に対応する第１拡張可能アンカーロッキング突出部と、複数の連結セグメントであって、各前記連結セグメントは冠状端部及び先端端部を含む、複数の連結セグメントと、を有する拡張可能アンカーであって、前記拡張可能アンカーは、拡張力に応答して、拡張していない第１位置から拡張した第２位置へ変形可能であり、前記拡張可能アンカーの複数の前記連結セグメントの各々の前記冠状端部と前記先端端部は、前記拡張力に応答して前記中央軸に対して直交する平行な行程で移動される、拡張可能アンカーと；
(d)前記拡張可能アンカーが前記拡張した第２位置にあるとき、前記コアを受け入れ、複数の前記連結セグメントを所定の位置にロックするように構成された前記拡張可能アンカー内の内部形状であって、前記コアが前記拡張可能アンカー内に部分的に受け入れられるとき、前記第１コアロッキング突出部が前記第１拡張可能アンカーロッキング突出部の上をスライド可能になるように前記第１脚は圧縮され、前記コアが前記拡張可能アンカー内に完全に受け入れられるとき、前記第１コアロッキング突出部が前記第１拡張可能アンカーロッキング突出部に係合するように前記第１脚は圧縮されない、前記拡張可能アンカー内の内部形状と；を有する、歯科用インプラント、
を有する歯科用装置。
【請求項２】
前記拡張可能アンカーに嵌るように構成された係合端部を含むキャリアを更に有し、前記キャリアは、前記拡張力を生成するため、前記中央軸に沿って前記拡張可能アンカーの中で先端に移動される、請求項１に記載の歯科用装置。
【請求項３】
前記拡張可能アンカーの前記内部形状は、第１螺旋状ねじ溝を有し、前記キャリアの前記係合端部は対応する第２螺旋状ねじ溝を有し、前記キャリアと前記拡張可能アンカーとのねじ結合を容易にし、前記拡張可能アンカーの前記内部形状は、テーパー状中空部を有し、前記第１螺旋状ねじ溝は前記テーパー状中空部の少なくとも１部を取って延び、前記キャリアの前記係合端部は、前記内部形状の前記テーパー状中空部のテーパー角に対応するテーパー角を有する、請求項２に記載の歯科用装置。
【請求項４】
前記キャリアは、前記拡張可能アンカーの前記拡張していない第１位置から前記拡張した第２位置への拡張量を示す少なくとも１つの第１マーカーを有する、請求項２に記載の歯科用装置。
【請求項５】
前記コアは、第２拡張可能アンカーロッキング突出部に対応する第２コアロッキング突出部を有し、前記第２コアロッキング突出部と前記第２拡張可能アンカーロッキング突出部との係合は前記コアと前記拡張可能アンカーとを一体に固定する、請求項１に記載の歯科用装置。
【請求項６】
対応する拡張可能アンカースロットにより受け入れられる少なくとも１つのコアレールを更に有する、請求項１に記載の歯科用装置。
【請求項７】
前記少なくとも１つのコアレールは、第１拡張可能アンカースロットに対応するとともに前記第１拡張可能アンカースロットにより受け入れられる第１コアレールと、第２拡張可能アンカースロットに対応するとともに前記第２拡張可能アンカースロットにより受け入れられる第２コアレールとを有する、請求項６に記載の歯科用装置。
【請求項８】
前記コアは、前記拡張していない第１位置から前記拡張した第２位置の間での前記複数の連結セグメントの拡張量に対応する複数のサイズから選択される、請求項１に記載の歯科用装置。
【請求項９】
前記複数の連結セグメントの各々は、第１アーム対を有し、前記複数の連結セグメントの各々の前記第１アーム対の第１アームは、隣接する連結セグメントの第１アーム対の第１アームに摺動可能に係合し且つオーバーラップする、請求項１に記載の歯科用装置。
【請求項１０】
前記拡張可能アンカーの前記冠状部分は、非対称形の外部周面を有する、請求項１に記載の歯科用装置。
【請求項１１】
前記複数の連結セグメントの各々は、前記冠状端部に凹所を有し、複数の前記凹所は、前記コアの前記冠状部分を載せるために前記拡張可能アンカー内の周囲リムを形成するように整列している、請求項１に記載の歯科用装置。
【請求項１２】
前記義歯レセプタクルは、前記拡張可能アンカーの前記内部形状から分離されており、前記義歯レセプタクルと前記拡張可能アンカーの前記内部形状との間の連通が阻止されている、請求項１に記載の歯科用装置。
【請求項１３】
前記コアの前記先端部分の先端部は、前記先端部分を前記第１脚と第２脚に分割する第１スプリットで終わっている、請求項１に記載の歯科用装置。
【請求項１４】
前記第２脚は、前記拡張可能アンカーの前記内部形状内において前記コアと前記拡張可能アンカーとを一体にロックするため、第２拡張可能アンカーロッキング突出部に対応するとともに前記拡張可能アンカーの前記先端部において前記第２拡張可能アンカーロッキング突出部に係合する、第２ロッキング突出部を有する、請求項１３に記載の歯科用装置。
【請求項１５】
前記拡張可能アンカーは、第１連結セグメント及び第２連結セグメントを有し、前記第１連結セグメントは、前記冠状端部における一対の第１上部アーム対と、先端部における一対の第２下部アーム対を有し、前記第２連結セグメントは、第１アーム対を有し、前記第１アーム対の第１アーム及び第２アームは、前記第１連結セグメントの前記上部アーム対及び前記下部アーム対によって画成される対応する第１スペース及び第２スペース内で受け入れられる、請求項１に記載の歯科用装置。
【請求項１６】
前記拡張可能アンカーは、第１連結セグメント及び第２連結セグメントを有し、前記第１連結セグメントは、第１コアレールを受けるために先端部に第１拡張可能アンカースロットを有し、前記第１コアレールは、台形状の断面を有し、前記第１拡張可能アンカースロットは、前記第１コアレールと前記第１拡張可能アンカースロットとのダブテール係合を可能とする対応する形状を有する、請求項１に記載の歯科用装置。
【請求項１７】
前記拡張可能アンカーは、第１連結セグメント及び第２連結セグメントを有し、前記第１連結セグメントは、第１コアレールを受けるために先端部に第１拡張可能アンカースロットを有し、前記拡張可能アンカーの前記第２連結セグメントは、第２コアレールを受けるために先端部に第２拡張可能アンカースロットを有する、請求項１に記載の歯科用装置。
【請求項１８】
前記キャリアの前記係合端部は、前記複数の連結セグメントの第１のセグメントの内部表面上の第１ロッキングリッジに対応するとともに、前記複数の連結セグメントの第２のセグメントの内部表面上の第１ロッキングリッジに対応する円周状リッジを有する、請求項２に記載の歯科用装置。
【請求項１９】
前記コアの前記先端部分は、前記第１コアレールと、前記第２コアレールと、前記第１コアレールと前記第２コアレールの間に設けられた接合部とを有し、前記内部形状は、前記接合部を受け入れるための拡張可能中央部分を有する、請求項７に記載の歯科用装置。
【請求項２０】
前記少なくとも１つのコアレールの第１コアレールは、前記第１コアレールを第１脚と第２脚に分割するスプリットを先端端部に有し、各脚は、前記第１コアレールを第１拡張可能アンカースロット内にロックするため、前記第１拡張可能アンカースロットの内部の対向する拡張可能ロッキング突出部に対応するとともに係合するコアロッキング突出部を有する、請求項６に記載の歯科用装置。
【請求項２１】
前記内部形状の内部の対応する前記第１拡張可能アンカースロット及び前記第２拡張可能アンカースロットとの前記第１コアレールと前記第２コアレールの係合は、前記コアと前記拡張可能アンカーを整列させ、前記第１コアレール及び前記第２コアレールは、非対称形であり、前記コアと前記拡張可能アンカーの適切な単一の整列方向を与える、請求項７に記載の歯科用装置。
【請求項２２】
前記拡張可能アンカーの先端部は、少なくとも第１歯根を含む生来の歯の歯槽に対応する第１歯根部分及び第２歯根部分を有する、請求項１に記載の歯科用装置。
【請求項２３】
歯科用装置キットであって、前記キットは：
（１）生来の歯を引き抜いた後に歯槽内に固定する歯科インプラントであって、前記歯科インプラントは、冠状端部、先端端部、及び前記冠状端部と前記先端端部を通して延びる中央軸を持ち、前記歯科インプラントは、更に：
(a)前記歯科インプラントの前記冠状端部にある義歯レセプタクルと；
(b)冠状部分と、先端部分と、先端端部に第１コアロッキング突出部を有する第１脚と、を有するコアと；
(c)冠状端部と、先端端部と、前記第１コアロッキング突出部に対応する第１拡張可能アンカーロッキング突出部と、複数の連結セグメントであって、各前記連結セグメントは冠状端部及び先端端部を含む、複数の連結セグメントと、を有する拡張可能アンカーであって、前記拡張可能アンカーは、拡張力に応答して、拡張していない第１位置から拡張した第２位置へ変形可能であり、前記拡張可能アンカーの複数の前記連結セグメントの各々の前記冠状端部と前記先端端部は、前記拡張力に応答して前記中央軸に対して直交する平行な行程で移動される、拡張可能アンカーと；
(d)前記拡張可能アンカーが前記拡張した第２位置にあるとき、前記コアを受け入れ、前記複数の連結セグメントを所定の位置にロックするように構成された前記拡張可能アンカー内の内部形状であって、前記コアが前記拡張可能アンカー内に部分的に受け入れられるとき、前記第１コアロッキング突出部が前記第１拡張可能アンカーロッキング突出部の上をスライド可能になるように前記第１脚は圧縮され、前記コアが前記拡張可能アンカー内に完全に受け入れられるとき、前記第１コアロッキング突出部が前記第１拡張可能アンカーロッキング突出部に係合するように前記第１脚は圧縮されない、前記拡張可能アンカー内の内部形状と；、
を有する歯科用インプラント；並びに
（２）前記拡張可能アンカーに嵌るように構成された係合端部を含むキャリアであって、前記キャリアは、前記拡張力を発生するために前記中央軸に沿って前記内部形状内を先端に移動される、キャリア；を有し、
前記キットは、複数の連結セグメントと複数のコアを異なるサイズで有する、
歯科用装置キット。
【請求項２４】
前記コアは前記拡張可能アンカーに連通する荷重面を更に有し、前記コアの前記先端部分は第１コアレール及び第２コアレールを有し、前記第１コアレールは前記拡張可能アンカーの第１拡張可能アンカースロットによって受けられ、前記第２コアレールは前記拡張可能アンカーの第２拡張可能アンカースロットによって受けられ、前記第１コアレールは台形状の断面を有し、前記第１拡張可能アンカースロットは、前記第１コアレールと前記第１拡張可能アンカースロットとのダブテール係合を可能とする対応する形状を有し、前記第２コアレールは台形状の断面を有し、前記第２拡張可能アンカースロットは、前記第２コアレールと前記第２拡張可能アンカースロットとのダブテール係合を可能とする対応する形状を有し、前記第１拡張可能アンカースロット及び前記第２拡張可能アンカースロットは非対称であり、前記コアの前記冠状部分は、前記義歯レセプタクルを有し、前記コアの前記先端部分は前記拡張可能アンカー内に挿入され、前記義歯レセプタクルはテーパー状中空部を有し、前記内部形状は、拡張可能中央部分に隣接して第１周辺部分及び第２周辺部分を有し、前記第１拡張可能アンカースロットは前記第１周辺部分に形成され、前記第２拡張可能アンカースロットは前記第２周辺部分に形成され、前記内部形状の前記拡張可能中央部分はテーパー状中空部を有し、前記拡張可能アンカーの外周面は少なくとも１つの第１骨内部成長用隆起を有し、前記コアは、前記拡張可能アンカーに嵌るように構成されたキャリアによって示される前記拡張可能アンカーの拡張量に対応する複数のサイズから選択される、請求項１に記載の歯科用装置。
【発明の詳細な説明】
【技術分野】
【０００１】
本発明は全体として歯科医術に関し、より特定すると歯科インプラントに関する。
【背景技術】
【０００２】
義歯学（歯科補綴学）は、交換治療、リハビリテーション、口腔機能の保守、癒し、外観、及び不完全な歯や歯の抜けたことに関連した臨床治療状態を持つ患者の健康を扱う。
自然の歯を交換するため、歯科医は種々の装置を使用するが、そのなかでもインプラント、橋脚歯、及びクラウンは重要である。
現在使用されているインプラントの大部分はチタニウムで造られ、種々の形状とサイズのものが利用可能である。歯科インプラントを設置するために２−ステージの外科的プロトコールが使用される。通常、第１ステージは抜歯である。抜かれた歯槽を治癒するため新たな骨の成長を可能とするには数ヶ月が必要である。第２ステージは、骨に穴が開けられ、インプラントがねじ込まれるときである。手順全体は時間を費し、費用も掛かり、高度な技術を必要とするものでありまた、歯科医に数回通院する必要があり、患者に余分な苦痛を与える。
【０００３】
抜かれた歯槽に直接に迅速歯科インプラントを設置することもまた可能であるが、十分な安定性を得るには歯槽のベース内により深い穴を開ける必要がある。多くの歯科医は、隣接する神経及び/又は鼻洞に損傷を与える危険性によりこの手順を拒否する。一旦、インプラントが骨に一体化すると、永久的クラウンが配置される。
上記の外科的インプラント手順は、多くの歯科医をしのぐ高度の技術と確信が要求される。先ず、多くの一般的な歯科医は、骨に穴を開けることを心配し、このような患者をスペシャリストにゆだねる。彼らは、また、めったにない手順に必要な外科的装置の高いコストを問題としている。
【発明の概要】
【発明が解決しようとする課題】
【０００４】
本発明の目的は、抜歯した後、ただちに固定できる歯科インプラントを提供することである。本発明の他の目的は、顎の骨に穴を開ける必要のない歯科インプラントの設置を可能にすることである。本発明の更なる他の目的は、配置されたインプラント内及びその周りに直接に迅速に骨と一体化できるようにすることである。また、殆どの歯の歯槽に適合する異なるサイズと形状の歯科インプラントのキットを提供することである。
【課題を解決するための手段】
【０００５】
本発明は、ニュージーランド特許出願である２０１４年１０月１７日出願第７０１１１０号、２０１５年４月８日出願第７０６７７４号及び２０１５年５月４日出願の第７０７７１７号に基づき優先権を主張するものであり、これらの内容はここに参照として組み入れられるものである。
【０００６】
本発明は、以下を有する歯科用装置であって：
生来の歯を引き抜いた後に歯槽内に固定する歯科インプラントであって、前記歯科インプラントは、冠状端部、先端端部、及び前記冠状端部と先端端部を通して延びる中央軸を持ち、前記歯科インプラントは、更に：
(a)前記歯科インプラントの冠状端部にある義歯レセプタクル（容器）と；
(b)冠状部分と先端部分を有するコアと；
(c) 拡張可能アンカーであって、冠状端部、先端端部及び複数の連結したセグメントを有し、各セグメントは冠状端部と先端端部を含み、前記拡張可能アンカーは、拡張力に応答して第１の拡張以前の位置から第２の拡張後の位置へ変形可能であり、前記拡張可能アンカーの各々の連結した複数の前記セグメントの冠状端部と先端端部は、前記拡張力に応答して前記中央軸に対して直交する平行なパス（行程）で移動される、拡張可能アンカーと；
(d)   前記拡張可能アンカーが第２の拡張した位置にあるとき、前記コアーを受け入れ、前記複数の連結したセグメントをロックするようにされた前記拡張可能アンカー内の内部形状、
を有する。
本発明の第１の実施例において、歯科インプラントは、単一の歯根を持つ生来の歯を複製する単一の根歯根であり、本発明の他の実施例においては、複数の歯根を持つ生来の歯を複製する複数歯根である。
この歯科用装置は、更に、拡張可能アンカーと合致するように構成された係合端部を含むキャリアを有し、このキャリアは、拡張力を生じさせるために拡張可能アンカー内で中央軸に沿って先端が移動される。
【０００７】
本発明の目的は、抜歯した後に直ちに患者の歯槽（ソケット）に固定することのできる歯科インプラントを提供することにある。本発明の他の目的は、顎の骨に穴を開けることなく本発明の取り付けを可能にすることである。したがって、本発明の目的は、また、穴開けの無い手順を使用することにより、歯科インプラントの迅速な取り付けに関連するリスクを減少することにある。
【０００８】
また、本発明の目的は、迅速な歯科インプラントの取り付けに関連するリスクを減少することにある。更に、本発明の他の目的は、インプラントの構造の周囲及びその内部への直接の迅速な骨の一体化を可能とすることにある。また、インプラントから成るシステムと複数の歯槽の範囲に適合するために必要とされる異なるサイズの試行モデルを提供することも本発明の目的である。
【０００９】
本装置は、抜歯し後直ちに歯槽内に取り付けることのできるコア及びエンベロープ（外皮）から成る歯科インプラントである。
この装置は、また、外皮の簡単な取り付けを可能とするキャリア構成要素からなる。このキャリア構成要素は、更に、必要とされるコアのサイズの決定を可能とする。この装置は、金属、セラミック、及び/又はプラスチックのような１又は複数の生物学的適合性を持つ材料で造られる。この装置は、複数の範囲のサイズの歯科インプラントと試行モデルから成るシステムであり、この試行モデルは、歯科インプラントの構造的複製品であり、歯科インプラントは、抜歯の後直ちに歯槽内に取り付けられる。
【図面の簡単な説明】
【００１０】
【図１】本発明の歯科インプラントの第１の単一歯根の実施例の拡大側面図である。
【図２】本発明の歯科インプラントの第２の複数歯根の実施例の拡大側面図である。
【図３】第１及び第２の実施例による歯科用装置が挿入される歯槽の拡大側面図である。
【図４】本発明の歯科用装置の単一歯根の実施例の斜視図である。
【図５】本発明の歯科用装置の単一歯根の実施例の拡大図である。
【図６】本発明の歯科用装置の単一歯根の実施例の拡大図である。
【図７】本発明の歯科用装置の単一歯根の実施例の拡大図である。
【図８】本発明の歯科用装置の単一歯根の実施例の斜視図である。
【図９】本発明の歯科用装置の単一歯根の実施例の斜視図である。
【図１０】本発明の歯科用装置の単一歯根の実施例の平面図である。
【図１１】本発明の歯科用装置の単一歯根の実施例の斜視図である。
【図１２】本発明の歯科用装置の単一歯根の実施例の拡大図である。
【図１３】本発明の歯科用装置の単一歯根の実施例の拡大図である。
【図１４】本発明の歯科用装置の単一歯根の実施例の拡大図である。
【図１５】本発明の歯科用装置の単一歯根の実施例の斜視図である。
【図１６】本発明の歯科用装置の単一歯根の実施例の拡大図である。
【図１７】本発明の歯科用装置の単一歯根の実施例の拡大図である。
【図１８】本発明の歯科用装置の単一歯根の実施例の拡大図である。
【図１９】本発明の歯科用装置の単一歯根の実施例の拡大図である。
【図２０】本発明の歯科用装置の単一歯根の実施例の拡大図である。
【図２１】本発明の歯科用装置の単一歯根の実施例の拡大図である。
【図２２】本発明の歯科用装置の単一歯根の実施例の平面図である。
【図２３】本発明の歯科用装置の単一歯根の実施例の底面図である
【図２４】本発明の歯科用装置の単一歯根の実施例の拡大図である。
【図２５】本発明の歯科用装置の単一歯根の実施例の拡大図である。
【図２６】本発明の歯科用装置の複数歯根の実施例の拡大図である。
【図２７】本発明の歯科用装置の複数歯根の実施例の拡大図である。
【図２８】本発明の歯科用装置の複数歯根の実施例の拡大図である。
【図２９】本発明の歯科用装置の多数歯槽の実施例の図２７の線２７−２７に沿った断面図である。
【図３０】本発明の複数歯根の実施例の平面図である。
【図３１】本発明の複数歯根の実施例の底面図である。
【図３２】本発明の複数歯根の実施例の斜視図である。
【図３３】本発明の歯科用装置の複数歯根の実施例の拡大図である。
【図３４】本発明の歯科用装置の複数歯根の実施例の拡大図である。
【図３５】本発明の歯科用装置の複数歯根の実施例の拡大図である。
【図３６】本発明の複数歯根の実施例の平面図である。
【図３７】本発明の複数歯根の実施例の底面図である。
【図３８】本発明の複数歯根の実施例の斜視図である。
【図３９】本発明の歯科用装置の複数歯根の実施例の拡大図である。
【図４０】本発明の歯科用装置の複数歯根の実施例の拡大図である。
【図４１】本発明の歯科用装置の複数歯根の実施例の拡大図である。
【図４２】本発明の複数歯根の実施例の平面図である。
【図４３】本発明の複数歯根の実施例の底面図である。
【図４４】本発明の複数歯根の実施例の斜視図である。
【図４５】本発明の歯科用装置の複数歯根の実施例の拡大図である。
【図４６】本発明の歯科用装置の複数歯根の実施例の拡大図である。
【図４７】本発明の歯科用装置の複数歯根の実施例の拡大図である。
【図４８】本発明の複数歯根の実施例の平面図である。
【図４９】本発明の歯科用装置の複数歯根の実施例の拡大図である。
【図５０】本発明の歯科用装置の複数歯根の実施例の拡大図である。
【発明を実施するための形態】
【００１１】
添付の図１−５０は、生来の歯を抜歯した直後に歯槽１４a又は１４b（図３）内への歯科インプラントの取り付けを確実にするための本発明の歯科用装置１０の第１及び第２の実施例を示す。可能なときは常に。複数の図において共通の要素を特定するために同じ参照符号が使用されている。添付図面に示されるように、本発明の歯科用装置１０は、全ての実施例を通じて、冠状端部１６，先端部１８，冠状端部から先端部に伸びる中央軸A1を含み、歯科インプラント１２及びキャリア２４を有している。歯科インプラントは拡張可能アンカー２２とコア２４を有している。
【００１２】
操作において、歯科用装置１０は、キャリア２０によって最初に拡張可能アンカー２２を係合するように機能する。キャリア２２の拡張可能アンカー２２の内部形状２６内における軸A1方向への移動は、拡張可能アンカーを形成する連結された個々のセグメント２８を中央軸A1に対して垂直な面内で拡張させるこのことは、歯科インプラント１０の拡張可能アンカー２２を歯槽１４a又は１４b内の固定する。
拡張可能アンカー２２の連結された複数のセグメント２８のそれぞれは冠状端部３０と先端部３２を含み、冠状端部及び先端端部は、拡張力によって中央軸A1に対して垂直且つ平行でリニアな通路（行程）で変位する。
【００１３】
複数の連結されたセグメント２８が第１の拡張前の位置から歯槽１４a又は１４bに固定される第２の拡張位置へ、一旦、拡張すると、キャリア２０は拡張可能アンカー２２から外れ、コア２４が拡張可能アンカー２２内に進入し、複数の連結されたセグメント２８の位置をロックする。
【００１４】
連結されるセグメント２８のそれぞれの頂部には凹所３４が配置されており、複数の連結されたセグメント２８が連結されると、複数の凹所３４が円周状のリム３６を形成する。円周状のリム３６はコア２４のためのシート(座)を与え、連結されたセグメント２８の冠状端部３０がコア２４の少なくとも１部を取り囲む。拡張可能アンカー２２が組み立てられると、複数の連結されたセグメント２８は、拡張可能な中央部分３８と拡張可能な中央部分３８の反対側に第１及び第２周辺部分４０，４２を含む内部形状２６を形成する。
拡張可能な中央部分３８は、更に、第１テーパー角Θιを持ち、拡張可能な中央部分３８の少なくも一部に沿った第１螺旋状螺子溝４６を持つテーパー状中空部４４を有する。少なくとも１つの拡張可能アンカースロット４８が、  拡張可能アンカー２２とコア２４を適切に整列させるため、コア２４上の対応するコアレール５０を受け入れる。少なくとも１つの拡張可能アンカーロッキングレッジ（出っ張り）５２がコアロッキングレッジ５４に対応して係合して拡張可能アンカー２２とコアを合体してロックする。コア２４は、拡張可能アンカー２２の拡張量と拡張可能アンカー２２内への挿入に応じて対応する種々のサイズのものから選択され、一旦、拡張可能アンカー２２が歯槽１４a又は１４b内に置かれると、複数の連結したセグメント２８が第２の位置に拡張する。
【００１５】
コア２４は、冠状部分５６と先端部分５８を有する。少なくとも１つのコアレールが冠状部分５６から延び、対応するアンカースロット４８によって受け入れれる。このレールとスロットの手段は拡張可能アンカー２２とコア２４との適切な整列を可能とする。
ここに示されている実施例においては、コア２４は、第１コアレールと第２コアレールを有し、それぞれのコアレールの各々は異なった新たなサイズ又は形状を持ち、拡張可能アンカー２２とコア２４の間で適切な単一の整列をもたらすようにしている。
コア２４の冠状部分５６は、更に、橋脚歯、治療キャップ或いは歯科修復装置を受け入れるようにされた歯科用補綴レセプタクル６０を有している。
【００１６】
歯科用補綴レセプタクル６０は、拡張可能アンカー２２の内部形状２６から分離しており、歯科用補綴レセプタクル６０と拡張可能アンカーの内部形状との間の連通を不可能にしている。内部形状２６を外部環境からのシールすることは、インプラントサイトにおける感染或いは他の合併症を防ぐ観点で有益である。
【００１７】
キャリア２０は、拡張可能アンカー２２を歯槽１４a又は１４b内に配置し、拡張力を発生させるために拡張可能アンカー２２と結合することを可能とする係合端部７４を有する。キャリア２０は、更に、適切なサイズのコア２４を選択することを支援するために拡張可能アンカーの拡張量を示す、少なくとも１つの第１マーカー６４を有し、また、ここに示された実施例においては、少なくとも第１及び第２のマーカーを有している。歯科装置１０の要素は、金属、セラミック或いは適切なプラスチックのような、生物学的に適合性のある材料で造られる。
上述の共通する特徴に加え、本発明の単一歯根及び複数歯根の特定の詳細は以下に記載される。
１．単一歯根の実施例
図１及び図４−２５は本発明の単一歯根の実施例を示し、ここでは歯科インプラント１２は、単一歯根を持つ生来の歯の歯槽１４a（図３）に対応する単一歯根１６０を有する。拡張可能アンカー２２は複数の連結したセグメント２８を有し、この実施例では、複数の連結したセグメント２８は第１及び第２の連結したセグメント６６，６８を有している。第１の連結したセグメント６６は、連結したセグメント６６の冠状端部３０において第１の上部アーム対７０を有し、連結したセグメント６６の先端部３２おいて第２の下部アーム対７２を有する。第１上部アーム対と第２下部アーム対７０，７２の間のスペースは、第２の連結したセグメント６８の第１アーム対７８を受け入れるように形成されている。第２の連結したセグメント６８の第１アーム対７８は、第１及び第２の連結したセグメント６６，６８が連結されたとき、連結セグメント６６，６８の冠状端部３０が整列し、連結セグメント６６，６８の先端部３２が整列する。この装置は、均一の高さとなる拡張可能アンカー２２を形成する。第１及び第２の連結セグメント６６，６８は入れ子となって拡張可能アンカー２２を形成し、セグメントは、スライド-押し込み嵌合の方法で互いに係合する。
【００１８】
拡張可能アンカー２２が組み立てられると、第１及び第２連結セグメント６６，６８は内部形状２６を形成し、この内部形状は、拡張可能な中央部分３８，及び拡張可能な中央部分の対向する側に第１及び第２周辺部分４０，４２を画成する。この実施例では、周辺部分４０，４２は中央部分３８に円滑に移行し、比較的均一な内部形状２６を形成している。
【００１９】
既に説明したように、第１及び第２連結セグメント６６，６８のそれぞれは、更に、凹所３４を有し、第１及び第２連結セグメント６６，６８が一体に連結されたとき、凹所３４はコア２４を設置するための周辺リム３６を形成する。また、第１及び/又は第２連結セグメント６６，６８の冠状端部３０には、コアレール５０に対応して受け入れる少なくとも１つの拡張可能アンカースロット４８が存在する。
【００２０】
本実施例においては、少なくとも１つの拡張可能なスロット４８は、第１及び第２連結セグメント６６，６８が一体に連結されるとき、拡張可能アンカー２２の対向する側に整列する第１の拡張可能アンカースロット８２と第２の拡張可能アンカースロット８２を有する。第１の連結セグメント６６は第１の拡張可能アンカースロット８０を含み、第２の連結セグメント６８は第２の拡張可能アンカースロット８２を含む、
拡張可能アンカー２２の冠状端部は、種々の歯槽のための非対称形の外部フォーム８４と外部周面を有している。本実施例においては、拡張可能アンカーの冠状端部における非対称の外部フォーム８４は、“卵形”の形状をしている。拡張可能アンカー２２の先端部は、冠状端部の外側フォームと同様とするか、或いは、適用例に応じて必要とされる異なる形状或いは改変された形状を採用してもよい。拡張可能アンカー２２の外表面は、更に、歯科インプラント１２の周囲の骨との一体化と安定性を向上させるため、骨内部成長用隆起（bone in-growth ridges）８６を有する。
【００２１】
図示されるように、骨内部成長用隆起８６は、実質的に中央軸に直交して延びる少なくとも第１の周辺リッジ、及び好ましくは、複数の周辺リッジを有する。周囲全体ではない、或いは均一に整列しないような骨内成長セグメントのように、他の形状もまた採用できる。拡張可能アンカー２２の外表面は、また、更なる骨との一体化と安定性のための１又は複数の骨内成長ボイド１６２を有する。
本発明のこの単一歯根の例においては、第１連結セグメント６６の内面は、キャリア２０のリッジ９２に対応して、上部縁にリップ又はリッジ９０を備える凹所８８を有している。第２連結セグメント６８の内面は、また、キャリア２０のリッジ９２に対応して、上部縁にリップ又はリッジ９６を備える凹所９４を有している。キャリア２０が第１及び第２連結セグメント６６，６８の凹所８８，９４に受け入れられ、第１及び第２連結セグメント６６，６８の凹所リッジ９０，９６がキャリア上の対応するリッジ９２に係合すると、キャリア２０は、拡張可能アンカー２２内に係合して固定される。
【００２２】
第１連結セグメント６６において、凹所８８は、上部及び下部アーム対７０，７２の間の空間に位置する。第２連結セグメント６８においては、凹所９４は、好ましくは、第１連結セグメントの凹所８８に対応して位置し、凹所８８，９４内のリッジ９０，９６が単一のキャリアリッジ９２と係合可能とされる。少なくとも１つの拡張可能アンカーのロッキングレッジ（棚）５２が、第２下部アーム対７２上の第１連結セグメント６６の内面の下部部分に配置され、コアロッキングレッジ５４と対応する。拡張可能アンカーとロッキングレッジ５２，５４の係合は、更に、コア２４と拡張可能アンカー２２を更に一体化して固定する。図示されるように、第１拡張可能アンカーロッキングレッジ９８は下部アーム対７２の第１アーム７２aにあり、第２拡張可能アンカーロッキングレッジ１００は下部アーム対の第２アーム７２bにある。
【００２３】
本発明の単一歯根の実施例のコア２４は冠状部分５６、及び中間区域１０２及び頂部１０４を含む先端部分５８を有する。コア２４の先端部分５８は、また、歯科インプラント１２の軸を形成する。中間部分１０２は全体として傾斜角Θ2を持ち。先端１０４に移行する裁頭円錐形である。冠状部分５６は、橋脚歯、治療キャップ、或いは同様な歯科用装置が歯科インプラント１２に取り付けられる義歯レセプタクル６０を有する。義歯レセプタクル６０は、傾斜した中空部１０６、或いは代替として傾斜した突条を有する。冠状部分５６は、平坦なローディング面（負荷面）１０８において先端部分５８に移行し、ローディング面１０８は、コア２４が拡張可能アンカー２２内に配置されたとき拡張可能アンカー２２の周囲リム３６によって受け止められる。コア２４の周囲リム３６内への設置を改良するため、コア２４を拡張可能アンカー２２に押し込めるため平坦なローディング面１０８は周囲リム３６より大きいサイズとされる。
【００２４】
少なくとも１つのコアレール５０は、コア２４上の先端部分５８の中央区域１０２に第１及び第２コアレール１１０，１１２を有する。第１及び第２コアレール１１０，１１２は、好ましくは、拡張可能のアンカー２２内の第１及び第２拡張可能アンカースロット８０，８２と“ダブテール”（あり継ぎ）となるような形状とされる。第１及び第２コアーレール１１０，１１２は、  対応する台形形状により拡張可能アンカースロット８０，８２内に嵌る全体として傾斜した断面を含む。第１及び第２コアレール１１０，１１２は、歯科インプラント１０のサイズに応じてサイズ、形状及ぶ数が変わる。
【００２５】
図示されるように、本発明の実施例は、拡張可能アンカー２２とコア２４が適切な単一の整列が得られるように、第１及び第２の非対称の拡張可能のアンカースロット８０，８２と第１及び第２の非対称のコアレール１１０，１１２を使用している。対称形の拡張可能アンカースロット８０，８２及びコアレール１１０，１１２も使用できるであろうが、その場合、拡張可能アンカー２２とコア２４が複数の整列状態を可能とすることとなる。この配置は、拡張可能アンカー２２とコア２４が同心的或いは共通軸を持つ場合、拡張可能アンカー２２とコア２４を合わせるとき注意が必要である。コア２４の先端部分５８の先端１０４は先端１０４を第１及び第２脚１１６，１１８の二つに分けるスプリット１１４を有している。
【００２６】
本発明の単一歯根の実施例においては、少なくとも１つのコアロッキングレッジ１２０が先端１０４に設けられている。図示されるように、第１コアロッキングレッジ１２０は第１脚１１６にあり、第２コアロッキングレッジ１２２が第２脚にある。この実施例においては、第１及び第２コアロッキングレッジ１２０，１２２は、第１連結セグメント６６の第２底部アーム対７２の対応する拡張可能アンカーロッキングレッジ９８，１００と係合する。この構成は“スプリット-バイヨネット”コネクターに類似している。
【００２７】
操作の場合、コア２４が拡張可能アンカー２２内に配置されると、第１及び第２脚１１６，１１８は、スプリット１１４において圧迫され、或いは“挟まれる”状態となる。このことはコアロッキングレッジ１２０，１２２を第１連結セグメント６６の対応する拡張可能アンカーロッキングレッジ９８，１００の上をスライドすることを可能にする。一旦コアロッキングレッジ１２０，１２２が対応する拡張可能アンカーロッキングレッジ９８，１００の上をスライドすると、第１及び第２脚１１６，１１８が初期の圧縮されない位置に戻り、コアロッキング脚１２０，１２２と拡張可能アンカーロッキングレッジ９８，１００との係合が解除されないようになる。
【００２８】
単一歯根実の施例のキャリア２０はハンドル１２４，軸１２６及び係合端部６２を有する。ハンドル１２４は、トルクレンチのような道具或いは手によりキャリア２０の使用を可能とする。シャフト１２６は、拡張可能アンカー２２の第１の拡張前の位置から第２の拡張した位置への拡張量と対応するコア２４のサイズを示す、少なくとも１つのマーカー６４を、好ましくは少なくとも第１及び第２マーカーを有する。係合端部６２は、係合端部６２が拡張可能アンカー２２に合致して嵌って係合することを可能とするコア２４の部分的なレプリカを有する。
【００２９】
この実施例では、係合端部６２は、裁頭円錐形の頂部１２８と傾斜部分１３０を有し、拡張可能アンカー２２の内部形状２６の第１螺旋状螺子溝４６に対応する第２螺旋螺子溝１３２を含んでいる。裁頭円錐形頂部１２８は、各凹所８８，９４の上部縁リップ９０，９６に係合する先端部１２０の上部面と共に、第１及び第２連結セグメント６６，６８の凹所８８，９４内に受け入れられるような形状とされる。係合端部６２の傾斜区域１３０の傾斜角Θ3は、拡張可能アンカー２２の傾斜した中空部２６の傾斜角Θ1に対応している。係合端部６２の傾斜区域１３０は、キャリア２０が拡張可能アンカー２２の内部にねじ込まれるとき、キャリア２０に拡張可能アンカー２２の連結セグメント６６，６８を離すようにカム動作をすることを可能とする。
【００３０】
拡張可能アンカー２２は、キャリア２０上で組み立てられ、挿入及び拡張のために歯槽１４aに移される。拡張可能アンカー２２は歯槽１４a内に注意深く置かれ、予定位置に置かれると、キャリア２０は、拡張可能アンカー２２を第１の拡張前の位置から第２の拡張位置へ拡張させるために必要な拡張力を発生するために回転される。キャリア２０は所定の力でトルクレンチ或いは手で回転される。
【００３１】
一旦、第１及び第２連結セグメント６６，６８が拡張し、歯槽１４a内に嵌められると、シャフト１２６のマーキング６４が第１及び第２連結セグメント６６，６８をその位置にロックするために必要とされるコア２４のサイズを示す。
図８及び図９は、拡張可能アンカーが第１の拡張前の位置と第２の拡張後の位置を示している。図９に見られるように、第２連結セグメントが第１連結セグメントから横方向に変位している。理想的には、シャフト１２６上のマーキング６４とコア２４のサイズは色-コード付けされている。コア２４は２或いはそれ以上のサイズで入手でき、そのサイズは長さと直径が変わるものである。拡張可能アンカー２２を、例えば、複数の連結セグメント２８を測定量だけ拡張するために必要な拡張力を与えるための拡張プライアーなどの従来の工具を使用して拡張し、位置決めすることも検討に値する。
【００３２】
本発明の歯科用装置１０の単一歯根の実施例は以下のような作業となる。
１．歯科専門医が生来の歯を抜歯する。時には、あるインプラントサイトが、歯科インプラント１２の設置に障害となるセプタム（隔膜）骨の除去を要求することがある。
２．歯科専門医は歯槽１４aに嵌める歯科インプラント１２の適切なサイズを決定するため試行用レプリカを使用する。
３．歯科インプラント１２のサイズを決定した後、拡張可能アンカー２２拡張しない状態で保持するアンカー２０が正しい向きにして歯槽１４a内に置かれる。キャリア２０が（レンチなどを使用して）回転され、所定量の回転力によって、拡張可能アンカー２２の第１及び第２連結セグメント６６，６８を拡張する。一旦、所定の力が与えらえると、キャリア２０のシャフト１２６上のマーカー６４が、歯科インプラント１２を最終的にはめ込むために必要なコア２４のサイズを表示する。この時点で、必要とされるコア１８のサイズがキャリアのシャフト上のマーキングによって現在の向きで表示される。歯槽１４aの頬側に最も近い側のマーキングが拡張可能アンカー２２の最適の拡張を与えることを示唆するコア２４の正しいサイズを示す。キャリア２０の螺子を反対に回して拡張可能アンカー２２から外し、拡張可能アンカー２２を歯槽１４a内に残す。
４．選択されたサイズのコア２４が歯槽１４a内で、拡張可能インプラント２０によって形成されたスペース内に置かれる。コア２４は、対応するコアレール１１０，１１２と対応する拡張可能アンカースロット８０，８２とを合わせることにより正しい向きにより拡張可能アンカー２２内に配置される。このレール-スロットの配置により、コア２４を拡張可能アンカー２２内で回す必要がなくなる。
５．コア２４の拡張可能アンカー２２内への配置は、コア２４の先端部分５８の先端１０４において脚１１６，１１８をスプリット１１４に沿って圧迫し、コアロッキングレッジ１２０，１２２が拡張可能アンカー２２の拡張可能アンカーロッキングレッジ９８，１００をスライドして越えることを可能にする。
コアロッキングレッジ１２０，１２２が、コア２４の先端部分５８の先端１０４において、第１及び第２脚１１６，１１８の拡張可能アンカーロッキングレッジ９８，１００を、一旦、越えると拡張して圧迫前の位置に戻る。コアロッキングレッジ１２０，１２２と拡張可能アンカーロッキングレッジ９８，１００との係合は、コア２４が拡張可能アンカー２２内にロックする。
６．“ダブ-テール”形状のコアレール１１０，１１２は、拡張可能アンカー２２をコア２４に近接して最適の拡張位置に維持し、拡張可能アンカー２２の連結セグメント６６，６８を合体保持するための歯槽の使用を必要としない。
７．コアロッキングレッジ１２０，１２２と対応する拡張可能アンカー２２の拡張可能アンカーロッキングレッジ９８，１００は拡張可能アンカー２２の先端が内側に倒れるのを防ぐ。コアロッキングレッジ１２０，１２２拡張可能アンカーロッキングレッジ９８，１００の係合は、また、コア２４が拡張可能アンカー２２から、また、場合によっては歯槽１４aから外れ落ちることを防いでいる。
８．コア２４の拡張可能アンカー２２内への挿入は、コアがねじ込まれて配置されるとき、垂直及び回転力が必要となることに比べ、垂直方向への力のみが加えられる。このことは、インプラントの設置においてインプラントによって歯槽に加わるトルクを減少する。そのことは、また、過度のトルクと望ましくない固定のための回転による歯槽への損傷を低減する。
９．コア２４のローディング面（負荷面）１０８は、コア２４の不回転に伴って、歯科インプラント１２の負荷キャパシティを増加し、これにより、インプラントの強度を高める。
１０．歯科専門医は、治療用橋脚歯を歯科義歯レセプタクル内のコア２４の冠状部分に配置し、周囲の組織近傍に歯槽を縫い合わせ、場合によっては、歯科専門医は、ただちに、クラウン橋脚歯を取り付けることもできる。
１１．インプラントサイトは治療することが許されており、歯科専門医は通常の基準でサイトを監視する。
２．複数歯根の実施例
図２及び図２６−５０は本発明の第２の複数歯根実施例を示し、ここでは、歯科インプラント１２は、複数歯根を持つ生来の歯の歯槽１４b（図３）に対応する複数歯根１３４を持つ。単一歯根と同じように、拡張可能アンカー２２は複数の連結セグメント２８を有している。この拡張可能アンカー２２の実施例では、複数の連結セグメント２８は、それぞれが冠状端部３０と先端部３２を含んでいる第１及び第２セグメント６６，６８を有している。
【００３３】
第１及び第２の連結セグメント６６，６８は、連結セグメント６６，６８の冠状端部にそれぞれが互いに重複している一対のアーム１３６，１３８を有している。
この実施例においては、第１連結セグメント６６の一対のアーム１３６は第２連結セグメント６８の一対のアーム１３８に重なっている。第２連結セグメント６８は、第１連結セグメント６６からの対応するアーム１３６a、１３６bを受ける第１及び第２ノッチ１４０，１４２を含み、第１連結セグメント６６は、第２連結セグメント６８からの対応するアーム１３８a、１３８bを受ける第１及び第２チャンネル１３８a、１３８bを含む。この装置では、第１及び第２連結セグメント６６，６８は、互いにすべり嵌め込み係合により係合し、拡張可能アンカー２２を形成している。
一対のアーム１３６，１３８，ノッチ１４０，１４２，及びチャンネル１４４，１４６は、また、均一の高さの拡張可能アンカー２２を形成するために整列して配置されている。
【００３４】
拡張可能アンカー２２が組み立てられると、第１及び第２連結セグメント６６，６８は。内部形状２６を形成し、その内部形状２６は、拡張可能な中央部分３８と拡張可能中央部分３８の対向する側に第１及び第２周囲部分４０，４２を含む。本発明の複数歯根の実施例においては、拡張可能中央部分３８と第１及び第２周囲部分４０，４２は内部形状２６の明確に区画され部分であるが、第１及び第２周辺部分４０，４２は、拡張可能中央部分３８と実質的に連通している。内部形状４０の第１及周囲部分４０は、第１コアレール１１０を受ける第１拡張可能アンカースロット８０を有し、内部形状２６の第２周囲部分４２は、第２コアレール１１２を受けるための第２拡張可能アンカースロット８２を有する。第１拡張可能アンカースロット８０は、更に、複数歯根実施例いおいては第１レール１１０側に配置されているコアロッキングレッジ１２０，１２２と係合する第１及び第２拡張可能アンカーロッキングレッジ９８，１００を有する。第１及び第２連結セグメント６６，６８の冠状端部３０は、更に凹所３４を有し、この凹所３４は、第１及び第２連結セグメント６６，６８が一体に連結されるとき、コア２４を載せる周囲リム３６を形成する。
【００３５】
拡張可能アンカー２２の冠状端部３０は、臼歯のような、種々の複数歯根歯槽の内部に嵌るように非対称の外部フォーム８４を有している。拡張可能アンカー２２の先端部２２は第１及び第２歯根部分１４８，１５０に分割している。
拡張可能アンカー２２の外表面は、更に、良好な安定性と歯槽１４b内の周囲の骨にインプラント１２がオセオインテグレイテッド（骨との一体化）となるように骨内部成長隆起８６を有している。図示されるように、骨内部成長隆起８６は、中央軸A1に実質的に垂直な方向に延びる複数の周囲リッジを有している。完全な周囲に亘るもでなく又は均一に整列していないような骨内部成長隆起のような他の形状のものも利用され得る。
拡張可能アンカー２２の外表面は、また、更なる安定性と骨との一体化のための１又は複数の骨内部成長ボイド１６２を持つこともできる。
【００３６】
本発明の複数歯根の実施例のコア２４は、冠状部分５６と先端部分５８を有する。冠状部分５６は、歯科補綴物レセプタクル６０は  歯科橋脚歯、治療用キャップ或いは同様の歯科槽装置或いは他の適用物をインプラント１２に取り付ける歯科人工補綴レセプタクル６０を有する。
【００３７】
歯科補綴物レセプタクル６０は傾斜した中空部１０６、或いはその替わりに傾斜した突起部を有することができる。冠状部分５６の基部は平坦或いは平坦にされた荷重面（ローディング面）１０８を有し、その荷重面１０８は、コア２４が拡大可能アンカー２２の中に配置されるとき、拡張可能アンカー２２の周囲リム３６によって受け止められる。周囲リム３６へのコア２４の設置を改良するため、ローディング面１０８は周囲リム３６よりも大きいサイズとされ、コア２４を拡張可能アンカー２２に圧入できるようにしている。
【００３８】
本発明の複数歯根の実施例においては、第１及び第２コアレール１１０，１１２は、第１及び第２コアレール１１０，１１２の間の接合部１５２と共に、コア２４の先端部分５８を形成する。
【００３９】
第１及び第２コアレール１１０，１１２及び接合部１５２は冠状部分５６の基部から先端に向けて延びる。この実施例においてはコア２４は第１及び第２コアレール１１０，１１２を有するものとして説明されているが、歯科インプラントのサイズによって要求されれば、２よりも多いレールを持つことができる。前述の単一歯根の実施例と同様に、第１及び第２拡張可能アンカースロット８０，８２と第１及び第２コアレール１１０，１１２は対称形或いは非対称形とすることができる。
【００４０】
図示されるように、本実施例は、第１及び第２の非対称形の拡張可能アンカースロット８０，８２と第１及び第２非対称形コアレール１１０，１１２を使用し、拡張可能アンカー２２都コア２４の単一の適切な整列の向きを与えるようにしている。対称形の拡張可能アンカースロット８０，８２及びコアレール１１０，１１２は、また、使用可能であるが、拡張可能アンカー２２とコア２４の配向きが複数可能となるであろう。この構成は、拡張可能アンカー２２とコア２４が同軸或いは同心状で有る場合は、十分な注意が必要となる。
【００４１】
複数歯根実施例の第１コアレール１１０は、また、第１及び第２脚１１６，１１８を画成するスプリット１１４を備えて終端となることが示されている。第１脚１１６は、第１コアロッキングレッジ１２０を含み、第２脚１１８は第２コアロッキングレッジ１２２を含む。上述のように、コアロッキングレッジ１２０，１２２は、第１コアレール１１０を受ける第１拡張可能アンカースロット８０における拡張可能アンカーロッキングレッジ９８，１００に対応し、係合する。この構成は、“スプリット-バイヨネット連結”に類似している。第１及び第２セグメント６６，６８が一旦拡張すると、接合部１５２は、内部形状２６の拡張可能な中央部分３８に受け入れられる。
【００４２】
操作においては、第１コア２４を拡張可能アンカー２２内に挿入されると、第１及び第２脚１１６，１１８が、スリット１１４の回りで圧縮する。第１及び第２脚１１６，１１８は第１連結セグメント６６の下部アーム７２において拡張可能ロッキングレッジ９８，１００と接触する。
第１及び第２脚１１６，１１８の傾斜面１５４，１５６が、第１及び第２脚１１６，１１８のコアロッキングレッジ１２０，１２２がスライドして拡張可能アンカーロッキングレッジ９８，１００を通り過ぎるまで、それらの脚をｓつまんでいる。一旦、コアロッキングレッジ１２０，１２２が対応する拡張可能アンカーロッキングレンジ９８，１００を通り過ぎると、第１及び第２脚１１６，１１８は最初の圧縮されない位置に戻り、コアロッキングレッジ１２０，１２２と拡張可能アンカーロッキングレッジ９８，１００が外れることを不可能にする。
【００４３】
複数歯根の実施例におけるキャリア２０は、ハンドル（図示せず）、シャフト１２６及び係合端部６２を有する。ハンドルはキャリア２０をトルクレンチ、或いは手動により使用することを可能にする。シャフト１２６は、第１の拡張前の位置から第２の拡張後の位置への拡張可能アンカー２２の拡張量と必要とされるコア２４のサイズを示す複数のマーカー６４を有する。
【００４４】
係合端部６２は、拡張可能アンカー２２の内部形状２６の第１螺旋ねじ溝４６に対応する第２螺旋ねじ溝１３２を含む傾斜状の先端１５８を有する。傾斜状先端１５８の傾斜角Θ3は、第１螺旋ねじ溝４６が設けられた内部形状２６の傾斜した空所１０６の傾斜角Θ1に対応している。この構成は、キャリア２０と拡張可能アンカー２２とのねじ結合を与えるものであり、キャリア２０が拡張可能アンカー２２内にねじ込まれるとき、連結セグメント６６，６８が離れるカム機能を与える。拡張可能アンカー２２はキャリア２２上に組み立てられ、挿入及び拡張のため歯槽１４b内に移送される。
拡張可能アンカー２２は注意深く歯槽１４b内に置かれ、適正な位置に置かれると、拡張可能アンカー２２を第１の拡張前の位置から第２の拡張後の位置へ拡張するのに必要な拡張力を生み出すため、キャリア２０が回転される。
キャリア２０は、トルクレンチ或いは手動で所定の力で回転される。一旦、第１及び第２連結セグメント６６，６８が拡張して歯槽１４bに嵌ると、シャフト１２６上のマーキング６４が第１及び第２連結セグメント６６，６８を位置固定するのに必要なコア２４のサイズを示す。理想的には、シャフト上の複数のマーキングとコアのサイズはカラーでコード化されるのが望ましい。コアは、高さと直径が異なる２以上のサイズで入手できる。
第１及び第２連結セグメント６６，６８を測定される量だけ拡張するの必要な拡張力を付与するため、キャリアの替わりに、例えば、拡張プライアーを使用して拡張可能アンカー２２を位置決め及び拡張することも考慮に値する。
【００４５】
本発明の複数歯根の実施例の歯科用装置１０は、以下のように作用する：
１．歯科専門医は生来の歯を抜歯する。場合によっては、インプラントプランサイトがインプラント１２の設置に障害となるセプタム骨の除去を要求することがある。
２．歯科専門医は、歯槽１４bに適合する歯科インプラント１２の適切なサイズを決定するために試行用レプリカを使用する。
３．選択された歯科インプラント１２のサイズに基づいて、拡張前の形状のアンカー２２を伴うキャリア２０が歯槽１４b内に正しい向きで配置される。
キャリア２０が（レンチなどを使用して）所定の回転力により拡張可能アンカー２２の連結セグメント６６，６８を拡張するために回転される。一旦、所定の力が与えられると、キャリア２おのシャフト１２６上の色つきコードが歯科インプラント１２を最終的に固定するのに必要なコア２４のサイズを示す。
この時点で、必要とされるコア２４のサイズがキャリアのシャフト上のそのときの向きの径方向のマーキングにより表示される。歯槽１４bの頬側に近いマーキングが、拡張可能アンカー２２の最適の拡張を与えるために予測される正しいコアのサイズを表示する。キャリア２０が巻き戻されて拡張可能アンカー２２との係合を外し、拡張可能アンカーを歯槽１４b内にの残す。
４．選択されたサイズのコア１８が歯槽１４b内で拡張可能インプラント２０によて生成されたスペース内に置かれる。コア２４が拡張可能アンカー２２内に、コアレール１１０
と対応する拡張可能アンカー２２の拡張可能アンカースロット８０，８２とを合わせることにより、正しい向きで配置される。このレールとスロットの組み合わせは、コア２４を拡張可能アンカー２２内にねじ込む必要性をなくしている。
５．拡張可能アンカー２２内へのコア２４の配置は、第１コアレール１１０の脚１１６，１１８をスプリット１１４に沿って圧縮し、コアロッキングレッジ（突出部）１２０，１２２を、拡張可能アンカー２２の拡張可能アンカーロッキングレッジ（突出部）９８，１００上をスライドして通過させることを可能とする。
一旦、コアロッキングレッジ１２０，１２２が拡張可能アンカー２２の拡張可能アンカーロッキングレッジ９８，１００を通過させられると、脚１１６，１１８は初期の圧縮前の位置に戻る。コアロッキングレッジ１２０，１２２と拡張可能アンカーロッキングレッジ９８，１００は、コア２４を拡張可能インプラント２０内にロックする。
６．コアレール１１０，１１２は、拡張可能アンカー２２をコア２４の近くに保持し、歯槽の圧力に頼らずに、最適の拡張位置で拡張可能アンカー２２の第１及び第２セグメント６６，６８を一体に保持する。
７．コアロッキングレッジ１２０，１２２と対応する拡張可能アンカーロッキングレッジ９８，１００は拡張可能インプラント２０の先端が内側に倒れることを阻止している。コアロッキングレッジ１２０，１２２と拡張可能アンカーロッキングレッジ９８，１００との係合は、また、場合によっては、コア２４が拡張可能アンカー２２から外れ、歯槽１４bから外れることを防止している。
８．コア２４の拡張可能アンカー２２内への挿入は、コアが所定位置にねじ込まれるときに垂直力及び回転力が付与されるときと比較して、垂直力のみが必要となるだけである。このことは、インプラントの設置の間に歯科インプラントにより歯槽に作用するトルクを減らす。また、過度のトルク及び/又は不必要な取り付けのための回転に基づく歯槽への損傷を低減する。
９．コア２４の荷重面１０８は、コア２４の非回転と共に、歯科インプラント１２の荷重キャパシティを増加し、これにより、より強度の高いインプラントをもたらす。
１０．歯科専門医は、歯科義歯レセプタクル６０内のコア２４の冠状端部に治療用橋脚歯を設置し、周囲の組織に歯槽を縫合し、場合によっては、歯科専門医はただちに冠状橋脚歯を設置することもできる。
１１．インプラントサイトは治療することが許されており、また、歯科専門医は通常の基準でサイトを見直す。一旦、インプラントサイトが治療したら、歯科専門医は永久的義歯を取り付ける。
【００４６】
本発明は、特定の応用例に関連して説明されてきたが、この例は、それ自体例示的なものであり、本発明の可能な適用例を限定することを意図したものではない。改良や改変は本発明の精神と範囲を離れない範囲で有効であることはりかいされるべきである。本開示は本発明を例示的なものとして意図されたものであり、本発明を記載された実施例に限定するものでないことは理解されるべきである。本開示は、添付の特許請求の範囲により、全ての改変を特許請求の範囲内にあるものとしてカバーすることを意図されたものである。
【図１】
0006636033.tif 000002
【図２】
0006636033.tif 000003
【図３】
0006636033.tif 000004
【図４】
0006636033.tif 000005
【図５】
0006636033.tif 000006
【図６】
0006636033.tif 000007
【図７】
0006636033.tif 000008
【図８】
0006636033.tif 000009
【図９】
0006636033.tif 000010
【図１０】
0006636033.tif 000011
【図１１】
0006636033.tif 000012
【図１２】
0006636033.tif 000013
【図１３】
0006636033.tif 000014
【図１４】
0006636033.tif 000015
【図１５】
0006636033.tif 000016
【図１６】
0006636033.tif 000017
【図１７】
0006636033.tif 000018
【図１８】
0006636033.tif 000019
【図１９】
0006636033.tif 000020
【図２０】
0006636033.tif 000021
【図２１】
0006636033.tif 000022
【図２２】
0006636033.tif 000023
【図２３】
0006636033.tif 000024
【図２４】
0006636033.tif 000025
【図２５】
0006636033.tif 000026
【図２６】
0006636033.tif 000027
【図２７】
0006636033.tif 000028
【図２８】
0006636033.tif 000029
【図２９】
0006636033.tif 000030
【図３０】
0006636033.tif 000031
【図３１】
0006636033.tif 000032
【図３２】
0006636033.tif 000033
【図３３】
0006636033.tif 000034
【図３４】
0006636033.tif 000035
【図３５】
0006636033.tif 000036
【図３６】
0006636033.tif 000037
【図３７】
0006636033.tif 000038
【図３８】
0006636033.tif 000039
【図３９】
0006636033.tif 000040
【図４０】
0006636033.tif 000041
【図４１】
0006636033.tif 000042
【図４２】
0006636033.tif 000043
【図４３】
0006636033.tif 000044
【図４４】
0006636033.tif 000045
【図４５】
0006636033.tif 000046
【図４６】
0006636033.tif 000047
【図４７】
0006636033.tif 000048
【図４８】
0006636033.tif 000049
【図４９】
0006636033.tif 000050
【図５０】
0006636033.tif 000051